(57)【要約】【課題】簡単な構造により高荷重操作に確実に耐えることができ、かつ全体を透明材料で構成しても照明の影響が生じない押しボタン装置を提供する。【解決手段】押しボタン部材が、ボタン本体部と、前記ボタン本体部の背面一端側に離間して位置するベース部と、前記ボタン本体部の背面他端側と前記ベース部とを接続する弾性片部とを備え、かつ前記ボタン本体部の背面縁部に、ボタン本体部の移動時にベース部前面に当接可能なストッパー部を突設した。【選択図】図４
2005340081.tif 000002
【特許請求の範囲】
【請求項１】
スイッチを有する基板の前面側に位置され、押圧により前記スイッチを作動させる押しボタン部材を備えた装置であって、前記押しボタン部材が、ボタン本体部と、前記ボタン本体部の背面一端側に離間して位置するベース部と、前記ボタン本体部の背面他端側と前記ベース部とを接続する弾性片部とを備え、かつ前記ボタン本体部の背面縁部に、ボタン本体部の移動時にベース部前面に当接可能なストッパー部を突設したことを特徴とする押しボタン装置。
【請求項２】
スイッチを有する基板の前面側に位置され、押圧により前記スイッチを作動させる押しボタン部材を備えた装置であって、前記押しボタン部材が、ボタン本体部と、前記ボタン本体部の背面一端側に離間して位置するベース部と、前記ボタン本体部の背面他端側と前記ベース部とを接続する弾性片部とを備え、かつ前記ベース部の前面に、ボタン本体部の移動時にこれの背面縁部に当接可能なストッパー部を突設したことを特徴とする押しボタン装置。
【請求項３】
ボタン本体部は周囲に抜け止め鍔を有し、この抜け止め鍔の背面にストッパー部または受けが設けられていることを特徴とする請求項１または２に記載の押しボタン装置。
【発明の詳細な説明】
【技術分野】
【０００１】
本発明はスイッチなどを操作する押しボタン装置の改良に関する。
【背景技術】
【０００２】
車載用音響機器、音響映像機器、ナビゲーション機器などにおいては、機器の操作のために押しボタン装置が不可欠である。
かかる押しボタン装置は、一般に、ボタン部材を操作パネル(エスカッション)に並進可能に取り付け、ヒンジにより押圧荷重を弾性的に受け止めるようになっていた。
【０００３】
しかし、ボタン部材が高荷重で押圧された場合、ヒンジが変形したり、座屈したりする恐れがある。そこで、従来、ボタン部材の背部にピン状のストッパーを突設させ、これを背後の基板に当接し得るようにして過度の押圧を規制するようにしていた。
【０００４】
しかし、スイッチを配した基板と操作パネルとの間には相当に大きな距離があるので、そうした基板にストッパーを当接させる場合、ストッパーの長さが大きくなる。このため、強度的な不安が付きまとい、組立作業中などにおいてストッパーに過大なせん断荷重がかかって折損する危険があった。また、ストッパーが直接基板に当接するので、これの繰り返しによって基板の変形や破損を起す危険があった。
【０００５】
また、押しボタンは、視認性や装飾性を高めるために透光構造とされ基板側から光を当てて照明することが多いが、従来では、押しボタン部材の照明範囲にストッパーを設けていたため、ストッパーが外部から視認されたり、照明ムラが生じたりする問題があった。
これを避け、照明範囲からストッパーを見えなくするには、押しボタンを透明材と白色材の２ピース構造にしたり、２色成形をしなければならず、その結果、部品点数が増したり、成形型コストがアップするなどの不都合が生じていた。
【特許文献１】特開２０００−３１５４４３号公報
【発明の開示】
【発明が解決しようとする課題】
【０００６】
本発明は前記のような問題点を解消するためになされたもので、その目的とするところは、簡単な構造により高荷重操作に確実に耐えることができ、かつ全体を透明材料で構成しても照明の影響が生じない押しボタン装置を提供することにある。
【課題を解決するための手段】
【０００７】
上記目的を達成するため本発明は、スイッチを有する基板の前面側に位置され、押圧により前記スイッチを作動させる押しボタン部材を備えた装置であって、前記押しボタン部材が、ボタン本体部と、前記ボタン本体部の背面一端側に離間して位置するベース部と、前記ボタン本体部の背面他端側と前記ベース部とを接続する弾性片部とを備え、かつ前記ボタン本体部の背面縁部に、ボタン本体部の移動時にベース部前面に当接可能なストッパー部を突設したことを特徴としている。
【０００８】
また、前記目的を達成するため本発明は、スイッチを有する基板の前面側に位置され、押圧により前記スイッチを作動させる押しボタン部材を備えた装置であって、前記押しボタン部材が、ボタン本体部と、前記ボタン本体部の背面一端側に離間して位置するベース部と、前記ボタン本体部の背面他端側と前記ベース部とを接続する弾性片部とを備え、かつ前記ベース部の前面に、ボタン本体部の移動時にこれの背面縁部に当接可能なストッパー部を突設したことを特徴としている。
【発明の効果】
【０００９】
押しボタン本体部を操作パネルの取り付け孔から突出させれば、押しボタン本体部を押圧したときに弾性片部がたわみ、それ以上の高荷重になると、ボタン本体部背面から突出しているストッパーがベース部の前面に当接し、あるいはボタン本体部背面がベース部の前面に突出しているストッパー部に当接して移動量が規制される。
ボタン本体部の背面とベース部の前面間の距離は比較的接近しており、この距離の間でストッパーを作動させることからストッパー部長さは短くて済み、したがって強度を十分に取ることができるとともに確実に動作させることができる。
【００１０】
また、ストッパーとその受けをボタン部材に設け、ボタン単体で高荷重に耐えるようにしているので構造が簡単であり、しかもストッパーは照明範囲外に設けられるので、ストッパーを隠蔽する特殊な構造や成形法を要さず、透明材で全体を構成することができ、したがって安価に製造することができる。
【発明を実施するための最良の形態】
【００１１】
ボタン本体部は周囲に抜け止め鍔を有し、この抜け止め鍔の背面にストッパー部または受けが設けられる。
これによれば、ボタン本体部よりも拡大した大きさの抜け止め鍔が操作パネルの取り付け孔の背方段部に当接して目視されないので、これの背後のストッパーまたは受けも外部から目視されないように隠され、したがって、ボタン全体を透明材で構成してもボタン本体部の照明に何ら支障をきたさず、照明ムラが生じない。
【実施例１】
【００１２】
以下添付図面を参照して本発明の実施例を説明するが、本発明は実施例に限定されるものではない。
図１ないし図５は本発明による押しボタン装置の第１実施例を示しており、図１において、１は操作パネル(フロントパネル)、２は操作パネルの背後の基板、３，３’は本発明で特徴とする押しボタン部材であり、操作パネル１と基板３の間に位置され、図４と５のように組み付けられる。
【００１３】
前記操作パネル１は、図４のように前面壁１００、上面壁１０１および下面壁１０２を有して後面が開放された溝状断面に成形されており、前面壁１００には窓孔状をなした取り付け穴１０が所要の間隔で配設されている。
前記基板２にはタクト型、プッシュ型など任意のスイッチ２ａを所定間隔で配設しており、かつスイッチ２ａの近傍には照明手段４が配されている。ここで、「照明手段」は他の箇所に設けた光源からの光を導いて押しボタン部材に照射する導光部材を含んでいるが、この例ではＬＥＤのごとき光源が用いられている。
【００１４】
押しボタン部材３，３’は全体が導光性材質たとえば透明あるいは半透明のプラスチック材やガラス材の成形体からなっており、図２と図３のように、所要の厚みを有するブロック状のボタン本体部３ａを有している。該ボタン本体部３ａは前記取り付け穴１０に対応する形状を持っている。前端面には文字や記号など所望の装飾が施されてもよい。
ボタン本体部３ａは、後端側の周囲に、図４のように、取り付け穴１０に嵌められたときに、取り付け穴背面の拡大した段面１１に当接される扁平状の抜け止め鍔３０を一体に有している。
【００１５】
前記ボタン本体部３ａの背方でかつボタン本体部一端側（この例では上辺側）には、剛性のあるベース部３ｂが位置している。前記ベース部３ｂはボタン本体部３ａと同等以上の長さを有するブロック状に構成されている。
図２(ａ)の例では、ベース部３ｂはボタン本体部３ａの横幅よりも若干大きいが、同図（ｂ）ではボタン本体部３ａの横幅を大きく超える長さを有している。
【００１６】
前記ベース部３ｂには、ボタン本体部３ａの背面両側部位に対応する位置に帯板状の弾性片部３ｃ、３ｃの基端が一体化されており、それら弾性片部３ｃ、３ｃは斜めに下降して他端がボタン本体部３ａの抜け止め鍔３０の背面（この例では下辺側）に連設されており、ボタン本体部３ａが前方方向に付勢され、ボタン本体部３ａを後方に押圧したときにヒンジ作用を発揮するようになっている。
【００１７】
そして、前記弾性片部３ｃ、３ｃの連設部位よりも内方のボタン本体部３ａの背面適所、この例では、ボタン本体部の下縁に近い中央部位には、前記スイッチ２ａを作動させるスイッチ押圧用の突部３ｄが突設されている。突部は軸状あるいはダボ状など任意である。
【００１８】
さらに、ボタン本体部３ａの背面とりわけ弾性片部３ｃ、３ｃの基端部位よりも内方で、かつ抜け止め鍔３０の背面に相当する部位には、前記ベース部３ｂの前面に向って伸びるストッパー部３ｅが突設されている。ストッパー部３ｅは、組付け状態においてベース部３ｂの前面と接触せず、所定の隙間をもって対峙するように長さが設定されている。
ストッパー部３ｅはこの例では幅の比較的広いリブとして構成されているが、場合によっては、単数または複数のピンなどであってもよい。
【００１９】
前記押しボタン部材３、３’は単体では図３のような状態にあり、操作パネル１の背後に位置され、ベース部３ｂをもって操作パネル１取り付け固定される。
その固定構造は任意であるが、この実施例では、図５のように、操作パネル１の上面壁１０１と下面壁１０２間にベース部３ｂの寸法形状に即した間隔でリブ状の挟持用壁１２，１２を形成しており、それら挟持用壁１２，１２には、ベース部３ｂの長さ方鋼端面と下面に密接可能な段部１２０がそれぞれ形成されている。
従ってこの例では、操作パネル１の背後から押しボタン部材３，３’を押し込めば、抜け止め鍔３０が取り付け穴１０の背面の段面１１に当接し、ボタン本体部３ａは前端部が取り付け穴１０から適度に突出する形態で摺動可能に嵌まり、ベース部３ｂは、上面が操作パネル１の上面壁１００に接しかつ端面と側面が挟持用壁１２，１２に圧入ないしそれに近い形態で挟持されることにより固定される。
【００２０】
したがって、押しボタン部材３，３’の組立て固定は容易であり、この状態で基板２を操作パネル１に組み付ければ、押しボタン部材３，３’の突部３ｄがスイッチ２ａに対峙し、照明手段４がボタン本体部３ａの背後に対峙する。この状態が図４である。
なお、前記挟持用壁による挟持に加え、あるいはこれに代えてベース部３ｂの上面を操作パネル１の上面壁１０１に接着し、あるいは上面壁１０１を貫いてビス類でベース部３ｂ固定してもよい。
【００２１】
使用時に際してボタン本体部３ａを押圧すれば、定位置に固定されているベース部３ｂから伸びてボタン本体部３ａと接続している弾性片部３ｃ、３ｃが変形するため、ボタン本体部３ａは並進し、突部３ｄがスイッチ２ａを押圧して作動させる。ボタン本体部３ａの押圧を開放すれば、弾性片部３ｃ、３ｃが復元する際のばね力でボタン本体部３ａは抜け止め鍔３０が段部１１に当接するまで並進する。
【００２２】
ボタン本体部３ａを高荷重で押圧した場合、ボタン本体部３ａの背面から突出しているストッパー部３ｅがベース部３ｂの前面である受面に当接するので、ボタン本体部３ａと突部３ｄの一定以上の移動が規制される。
ストッパー部３ｅとベース部３ｂはともにボタン部材３，３’に形成されていて、接近した距離間隔にあるので、移動規制のための剛性や強度を十分に取ることができ、ボタン部材単品だけで高荷重に耐えることができる。
【００２３】
また、ボタン部材３，３’が透明材で作られていても、ストッパー部３ｅはボタン本体部３ａの周囲の抜け止め鍔３０の部位に設けられており、その抜け止め鍔３０は操作パネル１の内側の段部１１に臨んでいて、照明範囲外にあるから、外部から視認されず、照明手段４からの光のムラが生ずることもない。
【実施例２】
【００２４】
図６と図７は本発明の第２実施例を示している。
この実施例においては、ストッパー３ｅがベース部３ｂの前面側に突出形成されており、ボタン本体部３ａの背面とりわけ抜け止め鍔３０の背面に対向している。
その他の構成は第１実施例と同様であるから、説明は省略する。
【００２５】
なお、図示しないが、ストッパー部３ｅがベース部３ｂの前面側とボタン本体部３ａの背面側からそれぞれ適量づつ突出し、所定のギャップを置いて対峙していてもよく、これも本発明に含まれる。
【図面の簡単な説明】
【００２６】
【図１】本発明による押しボタン装置を分解状態で示す斜視図である。
【図２】(ａ)、(ｂ)は本発明におけるボタン部材の第１実施例を示す斜視図である。
【図３】ボタン部材の部分切欠側面図である。
【図４】組立て状態を示す縦断側面図である。
【図５】組立て状態を示す透過正面図である。
【図６】本発明におけるボタン部材の第２実施例を示す斜視図である。
【図７】第２実施例の側面図である。
【図８】第２実施例の組立て状態を示す断面図である。
【符号の説明】
【００２７】
１  操作パネル
２  基板
２ａ  スイッチ
３、３’  押しボタン部材
３ａ  ボタン本体部
３ｂ  ベース部
３ｃ  弾性片部
３ｅ  ストッパー部
４  照明手段
３０  抜け止め鍔
【図１】
2005340081.tif 000003
【図２】
2005340081.tif 000004
【図３】
2005340081.tif 000005
【図４】
2005340081.tif 000006
【図５】
2005340081.tif 000007
【図６】
2005340081.tif 000008
【図７】
2005340081.tif 000009
【図８】
2005340081.tif 000010